(57)【要約】【課題】冊子に綴じ込むことができる収納箱組立用台紙であって、収納箱の連続した展開図を設けることができ、この展開図から収納箱を容易に組み立てることができるようにし、また、組み立てられた収納箱がカード状物を収納してそれを取り出すことができるようにする。【解決手段】冊子に綴じ込む台紙に、収納箱の連続した展開図の外形を形成する打抜き溝と、前記収納箱を組み立てたときの折り線となる押罫を設けた収納箱組立用台紙とし、また、この収納箱は上面部が開閉しカード状物が収納できる収納箱組立用台紙とし、さらに、この収納箱組立用台紙を、本文を構成する折丁と共に綴じ込んだ収納箱組立用台紙付冊子とする。【選択図】図１
2016060521.tif 000002
【特許請求の範囲】
【請求項１】
冊子に綴じ込む台紙に、収納箱の連続した展開図の外形を形成する打抜き溝と、前記収納箱を組み立てたときの折り線となる押罫を設けたことを特徴とする収納箱組立用台紙。
【請求項２】
前記収納箱は上面部が開閉しカード状物を収納できることを特徴とする請求項１に記載した収納箱組立用台紙。
【請求項３】
前記台紙は、前記押罫を含み前記台紙の縦方向の側縁に平行な折り線により２つ折りされ、前記収納箱のいずれの面にも折り線が入らないようにしたことを特徴とする請求項１または２に記載した収納箱組立用台紙。
【請求項４】
収納箱の連続した展開図の外形を形成する打抜き溝と、前記収納箱を組み立てたときの折り線となる押罫を設けた収納箱組立用台紙を、本文を構成する折丁と共に綴じ込んだことを特徴とする収納箱組立用台紙付冊子。
【請求項５】
前記収納箱は上面部が開閉しカード状物を収納できることを特徴とする請求項４に記載した収納箱組立用台紙付冊子。
【発明の詳細な説明】
【技術分野】
【０００１】
本発明は、書籍、雑誌等の冊子に綴じ込まれる収納箱組立用台紙及びこの収納箱組立用台紙を折丁と共に綴じ込んだ収納箱組立用台紙付冊子に関するものである。
【背景技術】
【０００２】
書籍、雑誌等の冊子においては、付録となる物品や台紙を本文となる折丁と共に綴じ込み、読者の購買意欲を高めることが行われている。
例えば、実開昭５８−３６２３４号公報（特許文献１）には、封筒を展開した用紙が綴じ込まれた雑誌が記載されている。
また、実用新案登録第３０６０３０１号公報（特許文献２）には、化粧箱の展開図が描かれた台紙を綴じ込んだ雑誌が記載されている。
図１４は、特許文献２のティッシュペーパーボックスの化粧箱において、雑誌に台紙が綴じ込まれた状態の斜視図である。図１４に示すように、台紙付雑誌３００は雑誌３０１と台紙３０２からなり、台紙３０２は、折り線３０３ａ、３０３ｂによって面３０２ａ、３０２ｂ、３０２ｃに区画され、面３０２ａと３０２ｂには切取線３０４が表示され、この切取線３０４によって化粧箱の胴部（正面部、背面部、左右側面部）３０５が形成されており、面３０２ｃに表示された切取線３０６、３０８によって化粧箱の上面部３０７、底面部３０９が形成されている。また、台紙３０２は、折り線３０３ａの位置で、針金（ステイプル）３１０ａ、３１０ｂにより雑誌３０１に綴じ込まれている。
そして、雑誌購入者は、雑誌３０１から台紙３０２を取り外し、台紙３０２に表示されている切取線３０４、３０６、３０８に沿って胴部３０５、上面部３０７、底面部３０９を切り取り、破線で表された折曲げ線に沿って折り曲げて糊付けすることにより、ティッシュペーパーボックス用の化粧箱を組み立てることができる。なお、３１１はティッシュペーパー取出し口用の切込み線であり、３１２は作り方の説明欄である。
【０００３】
しかしながら、特許文献１においては、封筒を展開した用紙が本文となる折丁よりも相当小さい形状であり、雑誌に綴じ込むのが困難であるという問題があった。
また、特許文献２においては、台紙３０２が折り線３０３ａの位置で針金３１０ａ、３１０ｂにより雑誌３０１に綴じ込まれているため、針金３１０ａ、３１０ｂの位置を外して化粧箱の展開図が設けられ、胴部３０５が上面部３０７と底面部３０９から分離し、化粧箱を組み立てるのが面倒になるという問題があった。特に、連続した展開図から組み立てられる収納箱を台紙３０２の全面に設けることはできなかった。その上、切取線３０４、３０６、３０８は、台紙３０２上に表示されているだけであるため、台紙３０２から切取線３０４、３０６、３０８に沿って胴部３０５、上面部３０７、底面部３０９を切り取らなければならないという煩わしさがあった。さらに、化粧箱の折曲げ線も台紙３０２上に表示されているだけであるため、化粧箱を組み立てる際の折り曲げ作業も面倒であった。
また、特許文献２の化粧箱は、ティッシュペーパーボックスを収納して、ティッシュペーパーを取り出すためのものであるため、各面は閉塞され、カード状物を収納してそれを取り出すことができないという問題があった。
【先行技術文献】
【特許文献】
【０００４】
【特許文献１】実開昭５８−３６２３４号公報
【特許文献２】実用新案登録第３０６０３０１号公報
【発明の概要】
【発明が解決しようとする課題】
【０００５】
本発明が解決しようとする課題は、冊子に綴じ込むことができる収納箱組立用台紙であって、収納箱の連続した展開図を設けることができ、この展開図から収納箱を容易に組み立てることができるようにし、また、組み立てられた収納箱がカード状物を収納してそれを取り出すことができるようにすることである。
【課題を解決するための手段】
【０００６】
請求項１の発明は、冊子に綴じ込む台紙に、収納箱の連続した展開図の外形を形成する打抜き溝と、前記収納箱を組み立てたときの折り線となる押罫を設けた収納箱組立用台紙を提供して、上記課題を解決するものである。
【０００７】
請求項２の発明は、請求項１において、前記収納箱は上面部が開閉しカード状物を収納できる収納箱組立用台紙を提供して、上記課題を解決するものである。
【０００８】
請求項３の発明は、請求項１または２において、前記台紙は、前記押罫を含み前記台紙の縦方向の側縁に平行な折り線により２つ折りされ、前記収納箱のいずれの面にも折り線が入らないようにした収納箱組立用台紙を提供して、上記課題を解決するものである。
【０００９】
請求項４の発明は、収納箱の連続した展開図の外形を形成する打抜き溝と、前記収納箱を組み立てたときの折り線となる押罫を設けた収納箱組立用台紙を、本文を構成する折丁と共に綴じ込んだ収納箱組立用台紙付冊子を提供して、上記課題を解決するものである。
【００１０】
請求項５の発明は、請求項４において、前記収納箱は上面部が開閉しカード状物を収納できる収納箱組立用台紙付冊子を提供して、上記課題を解決するものである。
【発明の効果】
【００１１】
請求項１の発明においては、冊子に綴じ込む収納箱組立用台紙であって、台紙に収納箱の連続した展開図が形成され、この展開図の外形が打抜き溝となっているため、台紙から展開図部分を容易に取り出すことができると共に、折り線となる押罫が設けられているため、この押罫に沿って容易に折り曲げることができ、容易に収納箱を組み立てることができるという効果を奏する。
【００１２】
請求項２の発明においては、前記収納箱は上面部が開閉しカード状物を収納できるため、カード状物を収納してそれを取り出せる収納箱を容易に組み立てることができるという効果を奏する。
【００１３】
請求項３の発明においては、前記台紙は、前記押罫を含み前記台紙の縦方向の側縁に平行な折り線により２つ折りされ、前記収納箱のいずれの面にも折り線が入らないようにしたため、前記台紙を前記冊子の二葉分の大きさとすることができると共に、見栄えのよい収納箱を容易に組み立てることができるという効果を奏する。
【００１４】
請求項４の発明においては、収納箱組立用台紙を、本文を構成する折丁と共に綴じ込んだため、この収納箱組立用台紙を冊子に綴じ込むことができ、台紙に収納箱の連続した展開図が形成され、この展開図の外形が打抜き溝となっているため、台紙から展開図部分を容易に取り出すことができると共に、折り線となる押罫が設けられているため、この押罫に沿って容易に折り曲げることができ、容易に収納箱を組み立てることができる収納箱組立用台紙付冊子が得られるという効果を奏する。
【００１５】
請求項５の発明においては、前記収納箱は上面部が開閉しカード状物を収納できるため、カード状物を収納してそれを取り出せる収納箱を容易に組み立てることができる収納箱組立用台紙付冊子が得られるという効果を奏する。
【図面の簡単な説明】
【００１６】
【図１】実施例１の収納箱組立用台紙の平面図である。
【図２】図１のＡ部拡大図である。
【図３】図２のＸＸ線断面図である。
【図４】図１のＢ部の縦断面図である。
【図５】収納箱組立用台紙１の端部４を冊子に綴じ込み、冊子を開いて台紙１を広げた状態の収納箱組立用台紙付冊子の斜視図である。
【図６】収納箱組立用台紙１を２つ折りして端部４を冊子３１に綴じ込み、２つ折りの台紙１を僅かに開いた状態の斜視図である。
【図７】展開図１０から組み立てた収納箱４０において上面部パネル１１、１２を少し折り曲げた状態の斜視図である。
【図８】収納箱４０において、上面部パネル１１を上面部パネル１２に折り重ね、上面部パネル１１の先端部分を打抜き溝Ｕ１０に係合させた状態の斜視図である。
【図９】収納箱４０において、上面部パネル１１、１２を直角に折り曲げ、上面部パネル１１を胴部パネル１６の内側に重ねた状態の斜視図である。
【図１０】実施例２の収納箱組立用台紙の平面図である。
【図１１】展開図１１０から組み立てた収納箱１４０において上面部パネル１１１を少し折り曲げた状態の斜視図である。
【図１２】実施例３の収納箱組立用台紙の平面図である。
【図１３】展開図２１０から組み立てた収納箱２４０において上面部パネル２１１を少し折り曲げた状態の斜視図である。
【図１４】特許文献２のティッシュペーパーボックスの化粧箱において、雑誌に台紙が綴じ込まれた状態の斜視図である。
【発明を実施するための形態】
【００１７】
以下、実施例１、実施例２及び実施例３に基づいて本発明を実施するための形態を説明する。
【実施例１】
【００１８】
［収納箱組立用台紙の構成］
図１は、本発明の第１実施形態である実施例１の収納箱組立用台紙の平面図であり、図中、１は収納箱組立用台紙、２は台紙本体、３はミシン目状打抜き溝、４は台紙本体２の端部、５は台紙本体２の縦方向の側縁、１０は収納箱の展開図、１１、１２は収納箱の上面部パネル、１３〜１７は収納箱の胴部パネル、１８〜２１は収納箱の底部パネル、Ｕ１〜Ｕ１０は打抜き溝、Ｙ１〜Ｙ３は横方向の押罫、Ｔ１〜Ｔ６は縦方向の押罫である。なお、押罫Ｙ１〜Ｙ３、Ｔ１〜Ｔ６は、打抜き溝Ｕ１〜Ｕ１０と区別するため、一点鎖線で表す。
【００１９】
［台紙本体２の構成］
図１に示すとおり、台紙本体２においては、その左端から少し内側に入った位置にミシン目状打抜き溝３が設けられ、台紙本体２の側縁５の近傍は収納箱組立用台紙１を冊子に綴じ込む端部４を形成し、台紙本体２の全面には、収納箱の展開図１０が設けられている。
【００２０】
［展開図１０等の構成］
展開図１０の外形は、打抜き溝Ｕ１〜Ｕ９で形成され、展開図１０の内側には、一点鎖線で示す横方向の押罫Ｙ１〜Ｙ３と縦方向の押罫Ｔ１〜Ｔ４が設けられている。
そして、コの字状の打抜き溝Ｕ１の上部と押罫Ｙ１で囲まれた領域が上面部パネル１１を形成し、打抜き溝Ｕ１の下部と押罫Ｙ２で囲まれた領域が上面部パネル１２を形成する。また、逆Ｌ字状の打抜き溝Ｕ２と押罫Ｔ１、Ｙ３で囲まれた領域が胴部パネル１３を形成し、押罫Ｙ２、Ｙ３と押罫Ｔ１、Ｔ２で囲まれた領域が胴部パネル１４を形成し、打抜き溝Ｕ３と押罫Ｔ２、Ｔ３、Ｙ３で囲まれた領域が胴部パネル１５を形成し、打抜き溝Ｕ４と押罫Ｔ３、Ｔ４、Ｙ３で囲まれた領域が胴部パネル１６を形成し、コの字状の打抜き溝Ｕ５と押罫Ｔ４で囲まれた領域が胴部パネル１７を形成する。さらに、逆Ｒ字状の打抜き溝Ｕ６と押罫Ｙ３で囲まれた領域が底部パネル１８を形成し、凹形状の打抜き溝Ｕ７と押罫Ｙ３で囲まれた領域が底部パネル１９を形成し、逆Ｒ字状の打抜き溝Ｕ８と押罫Ｙ３で囲まれた領域が底部パネル２０を形成し、凸形状の打抜き溝Ｕ９と押罫Ｙ３で囲まれた領域が底部パネル２１を形成する。
また、展開図１０から組み立てられた収納箱において、上面部パネル１１、１２が上面部を構成し、胴部パネル１３、１５が胴部の側面部となり、胴部パネル１４が胴部の背面部となり、胴部パネル１６が胴部の正面部となり、胴部パネル１７が胴部の折り込み部となり、底部パネル１８〜２１が底部を構成する。
なお、胴部パネル１４の上部には、凸曲線状の打抜き溝Ｕ１０が設けられ、押罫Ｙ１から内側に折り曲げられた蓋部パネル１１の先端中央部が打抜き溝Ｕ１０に係合するようになっている。
【００２１】
［台紙本体２と展開図１０の位置関係］
展開図１０において、縦方向の押罫Ｔ２と、打抜き溝Ｕ１の右側部分と打抜き溝Ｕ７の右側部分は、連続した直線を形成して台紙本体２の略中央に位置し、その連続した直線の延長線上には、押罫Ｔ５、Ｔ６が設けられ、台紙本体２の上端から下端に至る直線ａｂを形成している。すなわち、押罫Ｔ５、打抜き溝Ｕ１の右側の直線部分、押罫Ｔ２、打抜き溝Ｕ７の右側の直線部分及び押罫Ｔ６により、直線ａｂが形成され、展開図１０から収納箱を組み立てるために設けた打抜き溝及び押罫がない部分に折り線を入れることなく、直線ａｂに沿って収納箱組立用台紙１（台紙本体２）を２つ折りすることができ、展開図１０から組み立てられる収納箱のいずれの面（パネル）にも折り線が入らないようにすることができる。
また、打抜き溝Ｕ１の右側の直線部分、押罫Ｔ２及び打抜き溝Ｕ７の右側の直線部分で形成される直線（直線ａｂの押罫Ｔ５、Ｔ６を除いた部分）は、展開図１０における台紙本体２の側縁５に平行な線のうち最長の線となっている。このように台紙本体２の全面に設けた展開図１０の縦方向の最長の線と台紙本体２の折り線（直線ａｂ）とを一致させることにより、台紙本体２の折り線（直線ａｂ）の左右にバランスよく展開図１０を配置させることができ、結果として、台紙本体２の余白部分（展開図１０の外側部分）の面積を小さくすることができ、台紙本体２上に展開図１０を効率よく配置することができる。
【００２２】
［打抜き溝及び押罫の構成］
図２は、図１のＡ部（台紙本体２の打抜き溝Ｕ１が設けられた部分の一部）拡大図、図３は、図２のＸＸ線断面図、図４は、図１のＢ部（台紙本体２の押罫Ｙが設けられた部分の一部）の縦断面図である。
図２及び図３に示すように打抜き溝Ｕ１は、台紙本体２が打ち抜かれた打抜き部Ｕ１ｍと台紙本体２が打ち抜かれていない非打抜き部Ｕ１ｔから構成され、他の打抜き溝Ｕ２〜Ｕ１０も同様に打抜き部と非打抜き部から構成される。
また、図４に示すように押罫Ｙ１は凹みｈｅにより形成され、他の押罫Ｙ２、Ｙ３、Ｔ１〜Ｔ６も、凹みｈｅと同様の凹みにより形成される。
【００２３】
［収納箱組立用台紙付冊子の構成］
図５は、収納箱組立用台紙１（以下適宜「台紙１」と略す。）の端部４を冊子に綴じ込み、冊子を開いて台紙１を広げた状態の収納箱組立用台紙付冊子の斜視図であり、図中、３０は収納箱組立用台紙付冊子、３１は冊子、３１ａ、３１ｂは折丁である。
図５に示すように、収納箱組立用台紙１は、多数枚の折丁３１ａと３１ｂの間に挿入され、その端部４のミシン目状打抜き溝３より左側部分が折丁３１ａ、３１ｂと共に綴じ込まれている。
図６は、収納箱組立用台紙１を直線ａｂに沿って２つ折りして端部４を冊子３１に綴じ込み、冊子３１を少し開き、２つ折りの台紙１を僅かに開いた状態の斜視図である。図６に示すように、２つ折りの台紙１の縦（天地）方向の長さは、折丁３１ａ、３１ｂの縦方向の長さと同じであり、台紙１の横方向の長さは、折丁３１ａ、３１ｂの横方向の長さより僅かに小さくなっており、すなわち、２つ折りの台紙１の右端（直線ａｂ）は折丁３１ａ、３１ｂの右端（綴じ側に対向する一端）から５〜１０ｍｍ程度内側に入っており、容易に冊子３１の折丁３１ａと３１ｂの間に２つ折りの台紙１を綴じ込むことができる。このように台紙１の横方向の長さを折丁３１ａ、３１ｂの横方向の長さより僅かに小さくしたのは、収納箱組立用台紙付冊子３０の製造過程において、折丁３１ａと３１ｂの間に２つ折りの台紙１を綴じ込んで三方断裁（背側を除く周囲の余白部を断裁）する際に、台紙１の折り部（直線ａｂの部分）が余白部と共に断裁されて除去されないようにするためである。なお、２つ折りの台紙１は、折丁３１ａと３１ｂとの間に収納できればよく、台紙１の縦方向の長さは、折丁３１ａ、３１ｂの縦方向の長さと同じではなく、折丁３１ａ、３１ｂの縦方向の長さより小さいものであってもよい。
そして、台紙１は、ミシン目状打抜き溝３で切り取ることにより、端部４を残して冊子３１から切り離すことができる。
【００２４】
［収納箱の組立及び収納箱の使用］
展開図１０から収納箱を組み立てるに際しては、まず、端部４を残して冊子３１から台紙１を切り離した後、台紙１から展開図１０の部分を切り離す。展開図１０の外形は打抜き溝Ｕ１〜Ｕ９で形成されているため、台紙１から展開図１０の部分を容易に切り離すことができる。
次いで、展開図１０の胴部パネル１３〜１７を押罫Ｔ１〜Ｔ４に沿って折り曲げて、胴部パネル１３と１７を接着することにより、収納箱の胴部を組み立てることができ、底部パネル１８〜２１を押罫Ｙ３に沿って折り曲げ、底部パネル１８と２０を底部パネル１９の上に重ね、底部パネル１９と２０を係合させることにより、収納箱の底部を組み立てることができる。
この場合、胴部パネル１３〜１７及び底部パネル１８〜２１は、押罫Ｔ１〜Ｔ４、Ｙ３に沿って容易に折り曲げることができ、収納箱４０の胴部及び底部を容易に組み立てることができる。
図７は、展開図１０から組み立てた収納箱４０において上面部パネル１１、１２を押罫Ｙ１、Ｙ２に沿って少し折り曲げた状態の斜視図である。図７に示すように、収納箱４０は縦長の直方体形状であり、上面部パネル１１、１２で形成される収納箱４０の上面が開閉するようになっている。
図８は、収納箱４０において、上面部パネル１１を押罫Ｙ１に沿って上面部パネル１２に折り重ね、上面部パネル１１の先端部分を胴部パネル１４の打抜き溝Ｕ１０に係合させた状態の斜視図である。このように上面部パネル１１の先端部分を胴部パネル１４の打抜き溝Ｕ１０に係合させることにより、収納箱４０の上面を開口状態に保つことができ、カード状物を容易に収納し取り出すことができる。
図９は、収納箱４０において、上面部パネル１１、１２を押罫Ｙ１、Ｙ２に沿って直角に折り曲げ、上面部パネル１１を胴部パネル１６の内側に重ねた状態の斜視図である。このようにすることにより、上面部パネル１２が収納箱４０の上面となり、収納箱４０に蓋をすることができる。
そして、収納箱４０には、年賀状、各種絵はがき等の郵便はがきやＩＤカード、名刺等のカード状物を収納することができ、その取り出しも容易に行うことができる。
【実施例２】
【００２５】
［収納箱組立用台紙の構成］
図１０は、本発明の第２実施形態である実施例２の収納箱組立用台紙の平面図であり、図中、１０１は収納箱組立用台紙、１０２は台紙本体、１０３はミシン目状打抜き溝、１０４は台紙本体１０２の端部、１０５は台紙本体１０２の縦方向の側縁、１１０は収納箱の展開図、１１１、１１２は収納箱の上面部パネル、１１３〜１１６は収納箱の胴部パネル、１１７は収納箱の底部パネル、１１８〜１２０は上面部折り曲げフラップ、１２１、１２２は胴部折り返しフラップ、１２３〜１２６は胴部折り曲げフラップ、Ｕ１０１〜Ｕ１１８は打抜き溝、Ｕ１１９、Ｕ１２０はミシン目状打抜き溝、Ｙ１０１〜Ｙ１０４は横方向の押罫、Ｔ１０１〜Ｔ１０７は縦方向の押罫である。なお、実施例１の収納箱組立用台紙１と同様に、押罫Ｙ１０１〜Ｙ１０４、Ｔ１０１〜Ｔ１０７は、打抜き溝Ｕ１０１〜Ｕ１１８等と区別するため、一点鎖線で表す。
【００２６】
［台紙本体１０２の構成］
図１０に示すとおり、実施例１の台紙本体２と同様に、台紙本体１０２においては、その左端から少し内側に入った位置にミシン目状打抜き溝１０３が設けられ、台紙本体１０２の側縁１０５の近傍は収納箱組立用台紙１０１を冊子に綴じ込む端部１０４を形成し、台紙本体１０２の全面には、収納箱の展開図１１０が設けられている。
【００２７】
［展開図１１０等の構成］
展開図１１０の外形は、実施例１の展開図１０と同様に、打抜き溝Ｕ１０１〜Ｕ１１４で形成され、展開図１１０の内側には、打抜き溝Ｕ１１５〜Ｕ１１８、ミシン目状の打抜き溝Ｕ１１９、Ｕ１２０、一点鎖線で示す横方向の押罫Ｙ１０１〜Ｙ１０６と縦方向の押罫Ｔ１０１〜Ｔ１０５が設けられている。
そして、Ｌ字状の打抜き溝Ｕ１０１、１０２と押罫Ｔ１０４、Ｔ１０５で囲まれた領域が上面部パネル１１１を形成し、コの字状の打抜き溝Ｕ１０３、押罫Ｙ１０５、Ｙ１０６及び打抜き溝Ｕ１０４、Ｕ１０５で囲まれた領域が上面部パネル１１２を形成する。
また、押罫Ｙ１０１、Ｙ１０２、Ｔ１０２、Ｔ１０３及び打抜き溝Ｕ１１５で囲まれた領域が胴部パネル１１３を形成し、押罫Ｙ１０２、Ｙ１０３、Ｔ１０３、Ｔ１０４で囲まれた領域が胴部パネル１１４を形成し、押罫Ｙ１０３、Ｙ１０４、Ｔ１０２、Ｔ１０３及び打抜き溝Ｕ１１８で囲まれた領域が胴部パネル１１５を形成し、打抜き溝Ｕ１０４、Ｕ１０５、押罫Ｔ１０１、Ｔ１０２及び打抜き溝Ｕ１１６で囲まれた領域が胴部パネル１１６を形成し、押罫Ｙ１０２、Ｙ１０３、Ｔ１０２、Ｔ１０３で囲まれた領域が底部パネル１１７を形成する。
さらに、円弧状の打抜き溝Ｕ１０６と押罫Ｙ１０５で囲まれた領域が上面部折り曲げフラップ１１８を形成し、円弧状の打抜き溝Ｕ１０７と押罫Ｙ１０６で囲まれた領域が上面部折り曲げフラップ１１９を形成し、コの字状の打抜き溝Ｕ１０８と押罫Ｔ１０５で囲まれた領域が上面部折り曲げフラップ１２０を形成し、変形コの字状の打抜き溝Ｕ１０９、押罫Ｙ１０１及び打抜き溝Ｕ１１５で囲まれた領域が胴部折り返しフラップ１２１を形成し、変形コの字状の打抜き溝Ｕ１１０、押罫Ｙ１０４及び打抜き溝Ｕ１１８で囲まれた領域が胴部折り返しラップ１２２を形成し、コの字状の打抜き溝Ｕ１１１と押罫Ｔ１０２で囲まれた領域が胴部折り曲げフラップ１２３を形成し、コの字状の打抜き溝Ｕ１１２と押罫Ｔ１０２で囲まれた領域が胴部折り曲げフラップ１２４を形成し、円弧状の打抜き溝Ｕ１１３と押罫Ｙ１０２、Ｔ１０３で囲まれた領域が胴部折り曲げフラップ１２５を形成し、円弧状の打抜き溝Ｕ１１４と押罫Ｙ１０３、Ｔ１０３で囲まれた領域が胴部折り曲げフラップ１２６を形成する。
そして、展開図１１０から組み立てられた収納箱において、上面部パネル１１２の上に上面部パネル１１１が重ねられて上面部を構成し、胴部パネル１１３、１１５が胴部の側面部となり、胴部パネル１１４が胴部の背面部となり、胴部パネル１１６が胴部の正面部となり、底部パネル１１７が底部となる。
また、上面部折り曲げフラップ１１８は打抜き溝Ｕ１１５に嵌合し、上面部折り曲げフラップ１１９は打抜き溝Ｕ１１８に嵌合し、上面部折り曲げフラップ１２０は打抜き溝Ｕ１１６に嵌合するようになっている。
さらに、胴部折り返しフラップ１２１、１２２は、折り返されて胴部パネル１１３、１１５の内側面に重なり、胴部折り曲げフラップ１２３、１２４は、折り曲げられて胴部パネル１１８の内側面に重なり、胴部折り曲げフラップ１２５、１２６は、ミシン目状打抜き溝Ｕ１１９、Ｕ１２０に沿って２つ折りされて収納箱の内側に折り込まれるようになっている。
【００２８】
［台紙本体１０２と展開図１１０の位置関係］
展開図１１０において、縦方向の押罫Ｔ１０３と、打抜き溝Ｕ１０９の右側部分と打抜き溝Ｕ１１０の右側部分は、連続した直線を形成して台紙本体１０２の略中央に位置し、その連続した直線の延長線上には、押罫Ｔ１０６、Ｔ１０７が設けられ、台紙本体１０２の上端から下端に至る直線ｃｄを形成している。すなわち、押罫Ｔ１０６、打抜き溝Ｕ１０９の右側の直線部分、押罫Ｔ１０３、打抜き溝Ｕ１１０の右側の直線部分及び押罫Ｔ１０７により、直線ｃｄが形成され、展開図１１０から収納箱を組み立てるために設けた打抜き溝及び押罫がない部分に折り線を入れることなく、直線ｃｄに沿って収納箱組立用台紙１０１（台紙本体１０２）を２つ折りすることができ、展開図１１０から組み立てられる収納箱のいずれの面（パネル）にも折り線が入らないようにすることができる。
また、打抜き溝Ｕ１０９の右側の直線部分、押罫Ｔ１０３及び打抜き溝Ｕ１１０の右側の直線部分で形成される直線（直線ｃｄの押罫Ｔ１０６、Ｔ１０７を除いた部分）は、展開図１１０における台紙本体１０２の側縁１０５に平行な線のうち最長の線となっている。このように台紙本体１０２の全面に設けた展開図１１０の縦方向の最長の線と台紙本体１０２の折り線（直線ｃｄ）とを一致させることにより、台紙本体１０２の折り線（直線ｃｄ）の左右にバランスよく展開図１１０を配置させることができ、結果として、台紙本体１０２の余白部分（展開図１１０の外側部分）の面積を小さくすることができ、台紙本体１０２上に展開図１１０を効率よく配置することができる。
【００２９】
［打抜き溝及び押罫の構成］
展開図１１０の外形を形成する打抜き溝Ｕ１０１〜Ｕ１１４、展開図１０の内側に設けられた打抜き溝Ｕ１１５〜Ｕ１１８の構成は、実施例１の打抜き溝Ｕ１〜Ｕ１０の構成と同じである。
また、展開図１０の内側に設けられた横方向の押罫Ｙ１０１〜Ｙ１０６と縦方向の押罫Ｔ１０１〜Ｔ１０７の構成も、実施例１の押罫Ｙ１〜Ｙ３、Ｔ１〜Ｔ６の構成と同じである。
【００３０】
［収納箱組立用台紙付冊子の構成］
収納箱組立用台紙１０１（以下適宜「台紙１０１」と略す。）は、実施例１の収納箱組立用台紙１と同様に、冊子を構成する多数枚の折丁の間に挿入され、その端部１０４のミシン目状打抜き溝１０３より左側部分が折丁と共に綴じ込まれ、収納箱組立用台紙付冊子となる。
収納箱組立用台紙１０１を冊子に綴じ込む場合は、実施例１の収納箱組立用台紙１と同様に、台紙１０１を直線ｃｄに沿って２つ折りして端部１０４を冊子に綴じ込み、使用時においては、台紙１０１をミシン目状打抜き溝１０３で切り取ることにより、端部１０４を残して冊子から切り離すことができる。
【００３１】
［収納箱の組立及び収納箱の使用］
展開図１１０から収納箱を組み立てるに際しては、まず、端部１０４を残して冊子から台紙１０１を切り離した後、台紙１０１から展開図１１０の部分を切り離す。展開図１１０の外形は打抜き溝Ｕ１０１〜Ｕ１１４で形成されているため、台紙１０１から展開図１１０の部分を容易に切り離すことができる。
次いで、押罫Ｙ１０１〜Ｙ１０４、Ｔ１０１〜Ｔ１０５に沿って、上面部パネル１１１、１１２、胴部パネル１１３〜１１６、上面部折り曲げフラップ１１８〜１２０及び胴部折り曲げフラップ１２１〜１２６を折り曲げ、上面部折り曲げフラップ１１８、１１９を打抜き溝Ｕ１１５、Ｕ１１８に嵌合させることにより、収納箱を組み立てることができる。
この場合、上記各パネルとフラップは、押罫Ｙ１０１〜Ｙ１０４、Ｔ１０１〜Ｔ１０５に沿って容易に折り曲げることができ、また、各パネルやフラップを接着する必要はなく、収納箱を容易かつ迅速に組み立てることができる。
図１１は、展開図１１０から組み立てた収納箱１４０において上面部パネル１１１を押罫Ｔ１０４に沿って少し折り曲げた状態の斜視図である。図１１に示すように、収納箱１４０はやや扁平な直方体形状であり、上面部パネル１１１が収納箱１４０の開閉蓋となり、上面部折り曲げフラップ１２０が打抜き溝Ｕ１１６、Ｕ１１７で形成される溝部に嵌合し、上面部パネル１１１が開閉するようになっている。
そして、実施例１の収納箱４０と同様に収納箱１４０には、年賀状、各種絵はがき等の郵便はがきやＩＤカード、名刺等のカード状物を収納することができ、その取り出しも容易に行うことができる。
【実施例３】
【００３２】
［収納箱組立用台紙の構成］
図１２は、本発明の第３実施形態である実施例３の収納箱組立用台紙の平面図であり、図中、２０１は収納箱組立用台紙、２０２は台紙本体、２０３はミシン目状打抜き溝、２０４は台紙本体２０２の端部、２０５は台紙本体２０２の縦方向の側縁、２１０は収納箱の展開図、２１１は収納箱の上面部パネル、２１２〜２１５は収納箱の胴部パネル、２１６は収納箱の底部パネル、２１７は上面部折り曲げフラップ、２１８〜２２０は胴部折り返しフラップ、２２１〜２２５は胴部折り曲げフラップ、Ｕ２０１〜Ｕ２１５は打抜き溝、Ｙ２０１〜Ｙ２０４は横方向の押罫、Ｔ２０１〜Ｔ２０７は縦方向の押罫である。なお、実施例１の収納箱組立用台紙１や実施例２の収納箱組立用台紙１０１と同様に、押罫Ｙ２０１〜Ｙ２０４、Ｔ２０１〜Ｔ２０７は、打抜き溝Ｕ２０１〜Ｕ２１５等と区別するため、一点鎖線で表す。
【００３３】
［台紙本体２０２の構成］
図１２に示すとおり、実施例１の台紙本体２や実施例２の台紙本体１０２と同様に、台紙本体２０２においては、その左端から少し内側に入った位置にミシン目状打抜き溝２０３が設けられ、台紙本体２０２の側縁２０５の近傍は収納箱組立用台紙２０１を冊子に綴じ込む端部２０４を形成し、台紙本体２０２の全面には、収納箱の展開図２１０が設けられている。
【００３４】
［展開図２１０等の構成］
展開図２１０の外形は、実施例１の展開図１０や実施例２の展開図１１０と同様に、打抜き溝Ｕ２０１〜Ｕ２１０で形成され、展開図２１０の内側には、打抜き溝Ｕ２１１〜Ｕ２１５、一点鎖線で示す横方向の押罫Ｙ２０１〜Ｙ２０４と縦方向の押罫Ｔ２０１〜Ｔ２０５が設けられている。
そして、コの字状の打抜き溝Ｕ２０１の横方向の直線部分、押罫Ｔ２０４、Ｔ２０５及び打抜き溝Ｕ２１４、Ｕ２１５で囲まれた領域が上面部パネル２１１を形成する。
また、押罫Ｙ２０１、Ｙ２０２、Ｔ２０２及びＴ２０３で囲まれた領域が胴部パネル２１２を形成し、打抜き溝Ｕ２０１の横方向の直線部分と押罫Ｔ２０３、Ｔ２０４で囲まれた領域が胴部パネル２１３を形成し、押罫Ｙ２０３、Ｙ２０４、Ｔ２０２及びＴ２０３で囲まれた領域が胴部パネル２１４を形成し、打抜き溝Ｕ２０２の横方向の直線部分、押罫Ｔ２０１、Ｔ２０２及び打抜き溝Ｕ２１２、Ｕ２１３で囲まれた領域が胴部パネル２１５を形成し、押罫Ｙ２０２、Ｙ２０３、Ｔ２０２、Ｔ２０３及び打抜き溝Ｕ２１２、Ｕ２１３で囲まれた領域が底部パネル２１６を形成する。
さらに、打抜き溝Ｕ２０１、押罫Ｔ２０５及び打抜き溝Ｕ２１５で囲まれた領域が上面部折り曲げフラップ２１７を形成し、コの字状の打抜き溝Ｕ２０３と押罫Ｙ２０１で囲まれた領域が胴部折り返しフラップ２１８を形成し、コの字状の打抜き溝Ｕ２０４と押罫Ｙ２０４で囲まれた領域が胴部折り返しフラップ２１９を形成し、略コの字状の打抜き溝Ｕ２０２と押罫Ｔ２０１で囲まれた領域が胴部折り返しフラップ２２０を形成し、Ｌ字状の打抜き溝Ｕ２０５、打抜き溝Ｕ２０２の横方向直線部分の上部及び押罫Ｔ２０２で囲まれた領域が胴部折り曲げフラップ２２１を形成し、Ｌ字状の打抜き溝Ｕ２０６、打抜き溝Ｕ２０２の横方向直線部分の下部及び押罫Ｔ２０２で囲まれた領域が胴部折り曲げフラップ２２２を形成し、Ｌ字状の打抜き溝Ｕ２０７、Ｕ２０８、打抜き溝Ｕ２０１の横方向直線部分の上部及び押罫Ｔ２０３で囲まれた領域が胴部折り曲げフラップ２２３を形成し、打抜き溝Ｕ２０９、コの字状の打抜き溝Ｕ２１０、打抜き溝Ｕ２０１の横方向直線部分の下部及び押罫Ｔ２０３で囲まれた領域が胴部折り曲げフラップ２２４を形成し、コの字状の打抜き溝Ｕ２１１と押罫Ｔ２０１で囲まれた領域が胴部折り曲げフラップ２２５を形成する。
そして、展開図２１０から組み立てられた収納箱において、上面部パネル２１１が上面部となり、胴部パネル２１２、２１４が胴部の側面部となり、胴部パネル２１３が胴部の背面部となり、胴部パネル２１５が胴部の正面部となり、底部パネル２１６が底部となる。
また、胴部折り返しフラップ２１８、２１９は、折り返されて胴部パネル２１２、２１４の内側面に重なり、胴部折り曲げフラップ２２１、２２２は、折り曲げられて胴部パネル２１５の内側面に重なり、胴部折り返しフラップ２２０は、折り返されてその先端の凸部が打抜き溝Ｕ２１２、Ｕ２１３から形成される溝部に嵌合して胴部折り曲げフラップ２２１、２２２に重なり、上面部折り曲げフラップ２１７は、折り曲げられて胴部折り返しフラップ２２０に重なり、胴部折り曲げフラップ２２３、２２４は、折り曲げられて打抜き溝Ｕ２０７とＵ２０９が係合して胴部パネル２１３の内側面に重なり、胴部折り曲げフラップ２２５は、打抜き溝Ｕ２１５に係合するようになっている。
【００３５】
［台紙本体２０２と展開図２１０の位置関係］
展開図２１０において、縦方向の押罫Ｔ２０３と、打抜き溝Ｕ２０３の右側部分と打抜き溝Ｕ２０４の右側部分は、連続した直線を形成して台紙本体２０２の略中央に位置し、その連続した直線の延長線上には、押罫Ｔ２０６、Ｔ２０７が設けられ、台紙本体２０２の上端から下端に至る直線ｅｆを形成している。すなわち、押罫Ｔ２０６、打抜き溝Ｕ２０３の右側の直線部分、押罫Ｔ２０３、打抜き溝Ｕ２０４の右側の直線部分及び押罫Ｔ２０７により、直線ｅｆが形成され、展開図２１０から収納箱を組み立てるために設けた打抜き溝及び押罫がない部分に折り線を入れることなく、直線ｅｆに沿って収納箱組立用台紙２０１（台紙本体２０２）を２つ折りすることができ、展開図２１０から組み立てられる収納箱のいずれの面（パネル）にも折り線が入らないようにすることができる。
また、打抜き溝Ｕ２０３の右側の直線部分、押罫Ｔ２０３及び打抜き溝Ｕ２０４の右側の直線部分で形成される直線（直線ｅｆの押罫Ｔ２０６、Ｔ２０７を除いた部分）は、展開図２１０における台紙本体２０２の側縁２０５に平行な線のうち最長の線となっている。このように台紙本体２の全面に設けた展開図２１０の縦方向の最長の線と台紙本体２０２の折り線（直線ｅｆ）とを一致させることにより、台紙本体２０２の折り線（直線ｅｆ）の左右にバランスよく展開図２１０を配置させることができ、結果として、台紙本体２０２の余白部分（展開図２１０の外側部分）の面積を小さくすることができ、台紙本体２０２上に展開図２１０を効率よく配置することができる。
【００３６】
［打抜き溝及び押罫の構成］
展開図２１０の外形を形成する打抜き溝Ｕ２０１〜Ｕ２１０、展開図１０の内側に設けられた打抜き溝Ｕ２１１〜Ｕ２１５の構成は、実施例１の打抜き溝Ｕ１〜Ｕ１０の構成と同じである。
また、展開図２１０の内側に設けられた横方向の押罫Ｙ２０１〜Ｙ２０４と縦方向の押罫Ｔ２０１〜Ｔ２０７の構成も、実施例１の押罫Ｙ１〜Ｙ３、Ｔ１〜Ｔ６の構成と同じである。
【００３７】
［収納箱組立用台紙付冊子の構成］
収納箱組立用台紙２０１は、実施例１の収納箱組立用台紙１と同様に、冊子を構成する多数枚の折丁の間に挿入され、その端部２０４のミシン目状打抜き溝２０３より左側部分が折丁と共に綴じ込まれ、収納箱組立用台紙付冊子となる。
収納箱組立用台紙２０１を冊子に綴じ込む場合は、実施例１の収納箱組立用台紙１と同様に、台紙２０１を直線ｅｆに沿って２つ折りして端部２０４を冊子に綴じ込み、使用時においては、台紙２０１をミシン目状打抜き溝２０３で切り取ることにより、端部２０４を残して冊子から切り離すことができる。
【００３８】
［収納箱の組立及び収納箱の使用］
展開図２１０から収納箱を組み立てるに際しては、まず、端部２０４を残して冊子から台紙２０１を切り離した後、台紙２０１から展開図２１０の部分を切り離す。展開図２１０の外形は打抜き溝Ｕ２０１〜Ｕ２１０で形成されているため、台紙２０１から展開図２１０の部分を容易に切り離すことができる。
次いで、押罫Ｙ２０１〜Ｙ２０４、Ｔ２０１〜Ｔ２０５に沿って、上面部パネル２１１、胴部パネル２１２〜２１５、上面部折り曲げフラップ２１７、胴部折り返しフラップ２１８〜２２０及び胴部折り曲げフラップ２２１〜２２４を折り曲げ（折り返し）、胴部折り返しフラップ２２０の先端の凸部を打抜き溝Ｕ２１２、Ｕ２１３から形成される溝部に嵌合させ、胴部折り曲げフラップ２２３と２２４を打抜き溝Ｕ２０７とＵ２０９の重なり合う部分で係合させ、胴部折り曲げフラップ２２５を打抜き溝Ｕ２１５に係合させることにより、収納箱を組み立てることができる。
この場合、上記各パネルとフラップは、押罫Ｙ２０１〜Ｙ２０４、Ｔ２０１〜Ｔ２０５に沿って容易に折り曲げることができ、また、各パネルやフラップを接着する必要はなく、収納箱を容易かつ迅速に組み立てることができる。
図１３は、展開図２１０から組み立てた収納箱２４０において上面部パネル２１１を押罫Ｔ２０４に沿って少し折り曲げた状態の斜視図である。図１３に示すように、収納箱２４０はやや扁平な直方体形状であり、上面部パネル２１１が収納箱２４０の開閉蓋となり、胴部折り曲げフラップ２２５が打抜き溝Ｕ２１５に係合し、上面部パネル２１１が閉じるようになっている。
そして、実施例１の収納箱４０や実施例２の収納箱１４０と同様に、収納箱２４０には、年賀状、各種絵はがき等の郵便はがきやＩＤカード、名刺等のカード状物を収納することができ、その取り出しも容易に行うことができる。
【産業上の利用可能性】
【００３９】
本発明の収納箱組立用台紙及び収納箱組立用台紙付冊子は、台紙の全面に収納箱の連続した展開図が形成され、台紙から展開図部分を容易に取り出すことができると共に、容易に収納箱を組み立てることができ、また、カード状物を収納してそれを取り出せる収納箱を容易に組み立てることができる。
【符号の説明】
【００４０】
１  収納箱組立用台紙
２  台紙本体
３  ミシン目状打抜き溝
４  台紙本体２の端部
５  台紙本体２の側縁
１０  収納箱の展開図
１１、１２  収納箱の上面部パネル
１３〜１７  収納箱の胴部パネル
１８〜２１  収納箱の底部パネル
４０  収納箱
１０１  収納箱組立用台紙
１０２  台紙本体
１０３  ミシン目状打抜き溝
１０４  台紙本体１０２の端部
１０５  台紙本体１０２の側縁
１１０  収納箱の展開図
１１１、１１２  収納箱の上面部パネル
１１３〜１１６  収納箱の胴部パネル
１１７  収納箱の底部パネル
１１８〜１２０  上面部折り曲げフラップ
１２１、１２２  胴部折り返しフラップ
１２３〜１２６  胴部折り曲げフラップ
１４０  収納箱
２０１  収納箱組立用台紙
２０２  台紙本体
２０３  ミシン目状打抜き溝
２０４  台紙本体２０２の端部
２０５  台紙本体２０５の側縁
２１０  収納箱の展開図
２１１  収納箱の上面部パネル
２１２〜２１５  収納箱の胴部パネル
２１６  収納箱の底部パネル
２１７  上面部折り曲げフラップ
２１８〜２２０  胴部折り返しフラップ
２２１〜２２５  胴部折り曲げフラップ
２４０  収納箱
Ｕ１〜Ｕ１０  打抜き溝
Ｕ１０１〜Ｕ１１８  打抜き溝
Ｕ１１９、Ｕ１２０  ミシン目状打抜き溝
Ｕ２０１〜Ｕ２１５  打抜き溝
Ｙ１〜Ｙ３  横方向の押罫
Ｙ１０１〜Ｙ１０４  横方向の押罫
Ｙ２０１〜Ｙ２０４  横方向の押罫
Ｔ１〜Ｔ６  縦方向の押罫
Ｔ１０１〜Ｔ１０７  縦方向の押罫
Ｔ２０１〜Ｔ２０７  縦方向の押罫
Ｕ１ｍ  打抜き部
Ｕ１ｔ  非打抜き部
ｈｅ  凹み
３００  台紙付雑誌
３０１  雑誌
３０２  台紙
３０２ａ、３０２ｂ、３０２ｃ  面
３０３ａ、３０３ｂ  折り線
３０４  切取線
３０５  化粧箱の胴部
３０６、３０８  切取線
３０７  化粧箱の上面部
３０９  化粧箱の底面部
３１０ａ、３１０ｂ  針金（ステイプル）
３１１  ティッシュペーパー取出し口用の切込み線
３１２  作り方の説明欄
【図１】
2016060521.tif 000003
【図２】
2016060521.tif 000004
【図３】
2016060521.tif 000005
【図４】
2016060521.tif 000006
【図５】
2016060521.tif 000007
【図６】
2016060521.tif 000008
【図７】
2016060521.tif 000009
【図８】
2016060521.tif 000010
【図９】
2016060521.tif 000011
【図１０】
2016060521.tif 000012
【図１１】
2016060521.tif 000013
【図１２】
2016060521.tif 000014
【図１３】
2016060521.tif 000015
【図１４】
2016060521.tif 000016